(57)【要約】【課題】洗濯運転に用いるシャワーを多様化することで、洗浄力の向上、節水、洗濯時間の短縮、省エネルギ化を可能とするドラム式洗濯機を提供することを課題とする。【解決手段】外槽から水を吸引する循環ポンプと、循環ポンプにより吸引された循環水をドラム槽内に向かって噴射する循環シャワーノズルとを備えるドラム式洗濯機であって、外槽カバーは、循環シャワーノズルを左右に備え、制御装置は洗い工程において、ドラムモータを回転駆動してドラム槽を回転駆動すると共に、循環ポンプを回転駆動すると共に、外槽カバーが備える左右の循環シャワーノズルから循環水をドラム槽内の衣類に向かって双方から噴射することを特徴とする。【選択図】図６
2011056193.tif 000002
【特許請求の範囲】
【請求項１】
回転自在に配置され、衣類を収納するドラムと、
前記ドラムを回転駆動するドラムモータと、
前記ドラムを内包する外槽と、
前記外槽の開口部に設けられた外槽カバーと、
前記外槽から水を吸込する循環ポンプと、
前記循環ポンプにより吸込された循環水を前記ドラム内に向かって噴射する循環シャワーノズルと、
前記ドラムモータと前記循環ポンプとを制御して少なくとも洗い工程およびすすぎ工程を実行可能な制御装置と、を備えるドラム式洗濯機であって、
前記外槽カバーは、前記循環シャワーノズルを左右に備え、
前記制御装置は、前記洗い工程において、
前記ドラムモータを回転駆動して前記ドラムを回転駆動すると共に、
前記循環ポンプを回転駆動して前記外槽カバーが備える左右の前記循環シャワーノズルから循環水を前記ドラム内の前記衣類に向かって双方から噴射する
ことを特徴とするドラム式洗濯機。
【請求項２】
前記外槽カバーは、
清水を前記ドラム内に向かって噴射する清水シャワーノズルを備え、
前記制御装置は、前記すすぎ工程において、
前記ドラムモータを回転駆動して前記ドラムを回転駆動すると共に、
前記外槽カバーが備える前記清水シャワーノズルから清水を前記ドラム内の前記衣類に向かって噴射する
ことを特徴とする請求項１に記載のドラム式洗濯機。
【発明の詳細な説明】
【技術分野】
【０００１】
本発明は、回転軸が水平または斜めのドラム槽を備えるドラム式洗濯機に関する。
【背景技術】
【０００２】
ドラム式洗濯機において、洗浄力の向上やすすぎ能力の向上のため、回転するドラム槽内の衣類に洗い水やすすぎ水を掛ける方式のドラム式洗濯機が開示されている。
特許文献１（特開２００８−１１３９８２号公報）には、外槽底部の洗濯水を第１流路から循環ポンプに吸い込み、第３流路から外槽上部に押し上げ洗濯槽内へ散水する洗濯機が開示されている。
特許文献２（特開２００８−７３１２８号公報）には、洗濯ドラム槽の正逆転に応じて洗い水やすすぎ水をかける向きが変化するドラム式洗濯機が開示されている。
【先行技術文献】
【特許文献】
【０００３】
【特許文献１】特開２００８−１１３９８２号公報
【特許文献２】特開２００８−７３１２８号公報
【発明の概要】
【発明が解決しようとする課題】
【０００４】
ドラム式洗濯機は、洗浄力の向上やすすぎ能力の向上が求められていると共に、使用者の利便性の観点から洗濯時間の短縮が求められている。
また、使用者のエコ意識の高まりから節水や省エネルギ化が求められている。
【０００５】
そこで本発明は、洗濯運転に用いるシャワーを多様化することで、洗浄力の向上、節水、洗濯時間の短縮、省エネルギ化を可能とするドラム式洗濯機を提供することを課題とする。
【課題を解決するための手段】
【０００６】
本発明は、このような課題を解決するために、請求項１に係るドラム式洗濯機は、回転自在に配置され、衣類を収納するドラムと、前記ドラムを回転駆動するドラムモータと、前記ドラムを内包する外槽と、前記外槽の開口部に設けられた外槽カバーと、前記外槽から水を吸込する循環ポンプと、前記循環ポンプにより吸込された循環水を前記ドラム内に向かって噴射する循環シャワーノズルと、前記ドラムモータと前記循環ポンプとを制御して少なくとも洗い工程およびすすぎ工程を実行可能な制御装置と、を備えるドラム式洗濯機であって、前記外槽カバーは、前記循環シャワーノズルを左右に備え、制御装置は、前記洗い工程において、前記ドラムモータを回転駆動して前記ドラムを回転駆動すると共に、前記循環ポンプを回転駆動して前記外槽カバーが備える左右の前記循環シャワーノズルから循環水を前記ドラム内の前記衣類に向かって双方から噴射することを特徴とする。
【発明の効果】
【０００７】
本発明によれば、洗濯運転に用いるシャワーを多様化することで、洗浄力の向上、節水、洗濯時間の短縮、省エネルギ化を可能とするドラム式洗濯機を提供することができる。
【図面の簡単な説明】
【０００８】
【図１】本実施形態に係るドラム式洗濯機の内部構造を示すために筐体の一部を切断して示した斜視図である。
【図２】本実施形態に係るドラム式洗濯機の側面断面図である。
【図３】本実施形態に係るドラム式洗濯機が備える外槽カバーの背面図である。
【図４】外槽カバーが備える循環シャワーノズルについて、図３におけるＡ−Ａ線断面図である。
【図５】外槽カバーが備える清水シャワーノズルについて、図３におけるＢ−Ｂ線断面図である。
【図６】ドラム式洗濯機の流路について説明する模式図である。
【図７】ドラム式洗濯機の制御装置のブロック図である。
【図８】本実施形態に係るドラム式洗濯機の運転工程を示す図である。
【図９】比較例に係るドラム式洗濯機について、上方から見たドラム内における循環水のかかる範囲を示した図である。
【図１０】本実施形態に係るドラム式洗濯機について、上方から見たドラム内における循環水のかかる範囲を示した図である。
【図１１】ドラム内における循環水と衣類との関係についてドラム式洗濯機の正面側から背面側に見た模式図である。
【図１２】ドラム内における清水シャワーについてドラム式洗濯機の正面側から背面側に見た模式図である。
【図１３】ドラム内における清水シャワーについてドラム式洗濯機の側面方向から見た断面模式図である。
【発明を実施するための形態】
【０００９】
以下、本発明を実施するための形態（以下「実施形態」という）について、適宜図面を参照しながら詳細に説明する。なお、図における同一符号は、同一物または相当物を示すものとする。
【００１０】
≪ドラム式洗濯機≫
まず、本実施形態に係るドラム式洗濯機１について図１および図２を用いて説明する。
図１は、本実施形態に係るドラム式洗濯機の内部構造を示すために筐体の一部を切断して示した斜視図である。図２は、本実施形態に係るドラム式洗濯機の内部構造を示すために筐体の一部および外槽を切断して示した右側面図である。
【００１１】
ドア２は、前面カバー１ｃの略中央に設けた衣類を出し入れするための投入口を塞ぐためのものであり、ドラム式洗濯機１の前補強材（図示せず）に設けたヒンジ（図示せず）で開閉可能に支持されている。
【００１２】
洗剤容器５は、ドラム式洗濯機１の上部左側に設けており、前部開口から引き出し式の洗剤トレイ１５を装着する。
【００１３】
洗剤容器５の後方には、給水弁２０１，２０２，２０３（図６参照）や風呂水吸水ポンプ（図示せず）、水位センサ６２（図７参照）など給水に関連する部品を設けてある。
上面カバー１ｅには、水道栓からの給水ホース接続口１６が設けてある。また、上面カバー１ｅには、風呂の残り湯の吸水ホース接続口１７も設けてある。
【００１４】
ドラム式洗濯機１のドラム８は回転可能に外槽１０内に支持されており、その外周壁に通水および通風のための多数の貫通孔を有し、前側端面に衣類を出し入れするための開口部８ａを設けてある。開口部８ａの外側には、ドラム８と一体の流体バランサ８ｃを備えている。外周壁の内側には、軸方向に延びるリフタ８ｂが周方向に離散的に複数個設けてあり、洗濯、乾燥時にドラム８を回転すると、衣類はリフタ８ｂと遠心力で外周壁に沿って持ち上がり、重力で落下するような動きを繰り返すタンブリング動作を行う。ドラム８の回転中心軸は、水平または開口部８ａ側が高くなるように、水平に対して０〜３０°程度傾斜している。
【００１５】
円筒状の外槽１０は、ドラム８を同軸上に内包し、前面は開口し、後側端面の外側中央にドラムモータ９を備える。ドラムモータ９の回転軸９ａは、外槽１０を貫通し、ドラム８と結合している。
外槽１０の前面の開口部には、外槽カバー１００を設け、外槽１０内への貯水を可能としている。外槽カバー１００の前側中央には、衣類を出し入れするための開口部１０１を設けてある。開口部１０１とドラム式洗濯機１の筐体に設けられた前補強材（図示せず）に設けた開口部は、ゴム製のベローズ１１で接続しており、ドア２を閉じることで外槽１０を水封する。
【００１６】
外槽１０は、下側をベース１ｈに固定されたサスペンション１３（コイルばねとダンパで構成）で防振支持されている。また、外槽１０の上側は上部補強部材に取り付けた補助ばね（図示せず）で支持されており、外槽１０の前後方向への倒れを防ぐことができる。
【００１７】
乾燥ダクト１８は、ドラム式洗濯機１の背面内側に縦方向に設置され、ダクト下部は外槽１０の背面下方に設けた吸気口１０ｅにゴム製の蛇腹管１８ａで接続される。乾燥ダクト１８内には、水冷除湿機構２３０（図６参照）を内蔵しており、給水弁２０３（図６参照）から水冷除湿機構２３０へ冷却水が供給される。
【００１８】
乾燥ダクト１８の上部は、ドラム式洗濯機１内の上部右側に前後方向に設置したフィルタダクト１９に接続している。フィルタダクト１９の前面には開口部を有しており、この開口部に引き出し式の乾燥フィルタ２０を挿入してある。乾燥ダクト１８からフィルタダクト１９へ入った空気は、乾燥フィルタ２０のメッシュフィルタ部に流入し、糸くずが除去される。
なお、乾燥フィルタ２０の掃除は、乾燥フィルタ２０を引き出してメッシュフィルタ部を取り出して行う。
また、フィルタダクト１９の乾燥フィルタ２０挿入部の下面には開口部が設けてあり、この開口部により、フィルタダクト１９と吸気ダクト（図示せず）を介して、送風ユニット２１の吸気口と接続している。
【００１９】
送風ユニット２１は、駆動用のファンモータ２２、羽根車（図示せず）、ファンケース（図示せず）で構成されている。また、ファンケースにはファンヒータ２３が内蔵されており、羽根車から送られる空気を加熱する。
送風ユニット２２の吐出口は、送風ダクト２４に接続する。送風ダクト２４は、ゴム製の蛇腹管２４ａを介して外槽カバー１００に設けた吹き出し口２５に接続している。本実施形態では、送風ユニット２２がドラム式洗濯機１の筐体内の上部右側に設けてあるので、吹き出し口２５は外槽カバー１００の正面から見て右斜め上の位置に設け、送風ユニット２２から吹き出し口２５までの距離を極力短くするようにしてある。
【００２０】
このように、ドラム８内の空気は、ドラム８の壁面の貫通孔から外槽１０に抜け、外槽１０の背面下方に設けた吸気口１０ｃから蛇腹管１８ａ、乾燥ダクト１８、フィルタダクト１９、吸気ダクト２１、送風ユニット２２の吸気口へと吸い込まれ、送風ユニット２２の吐出口から蛇腹管２４ａを介して吹き出し口２５からドラム８内に風を送り込む循環風路が形成される。
【００２１】
また、ドラム式洗濯機１の下部には、ドラムモータ９、ファンモータ２２、ファンヒータ２３等を制御する制御装置６０が設けられている。
【００２２】
≪外槽カバー≫
本実施形態に係るドラム式洗濯機１が備える外槽カバー１００について説明する。
図３は、本実施形態に係るドラム式洗濯機が備える外槽カバーの背面図である。
外槽カバー１００は、ドラム式洗濯機１の使用者がドラム８内の衣類を出し入れする正面側開口部１０１と、外槽１０と接続される背面側開口部１０２とを有する。
外槽カバー１００の正面側開口部１０１の左右には、後述する循環ポンプ２１０が吐出する循環水をドラム８内へ向けて噴射する循環シャワーノズル１４０ａ，１４０ｂを備える。
また、外槽カバー１００の正面側開口部１０１の上部には、清水を噴射する清水シャワーノズル１５０を備える。
なお、正面視右上側（図３では、背面視左上側）には、送風ユニット２４からの温風が吹き出される吹出し口２５の取り付け部２５ａが設けられている。
なお、外槽カバー１００にはオーバーフロー排水口１０３が形成され、外槽１０および外槽カバー１００に注水し続けた場合であっても、正面側開口部１０１から水があふれ出ることを防止している。
【００２３】
＜循環シャワーノズル＞
次に、外槽カバー１００が備える循環シャワーノズル１４０ａ，１４０ｂについて説明する。
以下、図４を用いて、循環シャワーノズル１４０ａについて説明し、循環シャワーノズル１４０ｂは循環シャワーノズル１４０ａと左右対称であり、説明を省略する。
図４は、外槽カバーが備える循環シャワーノズルについて、図３におけるＡ−Ａ線断面図である。
循環シャワーノズル１４０ａは、外槽カバー１００に注水カバー１４３ａを嵌め込むことで形成され、外槽カバー１００の正面側には注水継手１４２ａが接続される。
これにより、後述する循環ポンプ２１０から吐出された循環水は、接続ホース（図示せず）を介して二股継手１４１（図３参照）へと流れ、二股継手１４１の一端から接続ホースを介して注水継手１４２ａへ流れる。そして、注水カバー１４３ａと外槽カバー１００により形成された循環シャワーノズル１４０ａからドラム８内へ向けて循環水が噴射される。同様に、二股継手１４１の他端から接続ホースを介して注水継手１４２ｂへ流れる。そして、注水カバー１４３ｂと外槽カバー１００により形成された循環シャワーノズル１４０ｂからドラム８内へ向けて循環水が噴射される。
【００２４】
＜清水シャワーノズル＞
次に、外槽カバー１００が備える清水シャワーノズル１５０について図５を用いて説明する。
図５は、外槽カバーが備える清水シャワーノズルについて、図３におけるＢ−Ｂ線断面図である。
清水シャワーノズル１５０は、シャワーカバー１５２に形成され、外槽カバー１００を貫通するシャワーパイプ１５１が接続される。
清水シャワーノズル１５０は、ドラム８の回転軸方向に広くなるように開口し、ドラム８の回転方向に対しては狭く開口する。
【００２５】
≪ドラム式洗濯機の流路≫
本実施形態に係るドラム式洗濯機１の流路について、図６を用いて説明する。
図６は、ドラム式洗濯機の流路について説明する模式図である。なお、オーバーフロー排水口１０３（図３参照）は省略して以下説明する。
ドラム式洗濯機１は、給水ホース接続口１６（図１参照）から機内に給水され、３つの給水弁２０１，２０２，２０３へと分岐する。
【００２６】
＜第一給水弁＞
第一の給水弁２０１は、後述する洗い工程３０２（図８参照）および溜めすすぎ工程３１０（図８参照）において開放される電磁弁であり、洗剤ケース５を経由して外槽１０に設けられた給水口１００へと接続ホースを介して接続される。
これにより、給水弁２０１を開放することにより、給水ホース接続口１６から給水される水道水が、洗剤ケース５に投入された洗剤と共に外槽１０に設けられた給水口１００から外槽１０の壁面に沿って流れる。
【００２７】
＜第二給水弁＞
第二の給水弁２０２は、後述するシャワーすすぎ工程３０５，３０７（図８参照）において開放される電磁弁であり、シャワーパイプ１５１（図５参照）へと接続ホースを介して接続される。
また、給水弁２０２からシャワーパイプ１５１への流路の間で分岐し、乾燥ダクト１８（図１参照）内の水冷除湿機構２３０へ接続される。
これにより、給水弁２０２を開放することにより、給水ホース接続口１６から給水される水道水が、清水シャワーノズル１５０に給水されドラム８内へ水道水を噴射する。また、水道水の一部は洗浄水として乾燥ダクト１８の洗浄に用いられる。
なお、水冷除湿機構２３０への流路を狭めることで、清水シャワーノズル１５０への流量を確保することができ、清水シャワーノズル１５０から水道圧によって噴射される。
【００２８】
＜第三給水弁＞
第三の給水弁２０３は、後述する乾燥工程３１３（図８参照）において開放される電磁弁であり、乾燥ダクト１８内の水冷除湿機構２３０と接続ホースを介して接続される。
これにより、給水弁２０３を開放することにより、給水ホース接続口１６から給水される水道水が、冷却水として水冷除湿機構２３０を流れる。
なお、乾燥ダクト１８の水冷除湿機構２３０を流れる水は機外へ排出される。
【００２９】
＜循環水路・排水路＞
外槽１０の底面には凹状の窪み部１０ｂがドラム８の回転軸方向に設けられている。
窪み部１０ｂの底面は、前側から後側に下がる傾斜面となっており、窪み部１０ｂの後側最下部に排水口１０ｃが設けられている。また、窪み部１０ｂの前側には流入口１０ｄが設けられている。
【００３０】
循環ポンプ２１０は、内部に循環ポンプモータ２１１（図７参照）を備え、吸込口２１０ａ、自然排水口２１０ｂ、２つの吐出口２１０ｃ，２１０ｄを有する。
吸込口２１０ａは、外槽１０の排水口１０ｃと接続ホースを介して接続される。自然排水口２１０ｂは、排水弁２０４の一端と接続ホースを介して接続される。吐出口２１０ｃは、二股継手１４１と接続ホースを介して接続される。吐出口２１０ｄは、外槽１０の流入口１０ｄと接続ホースを介して接続される。
また、排水弁２０４の他端は、排水ホースと接続される。
【００３１】
排水弁２０４を開放することにより、外槽１０内の水は、外槽１０の排水口１０ｃから循環ポンプ２１０の吸込口２１０ａおよび自然排水口２１０ｂ、排水弁２０４を経由して、排水ホースから機外に排水される。
循環ポンプ２１０は、排水弁２０４を閉塞した状態において、ポンプ用モータ２１１を正転させることにより、吸込口２１０ａから水（循環水）を吸い込み、吐出口２１０ｃから循環水を吐出する。循環ポンプ２１０の吐出口２１０ｃは二股継手１４１と接続され、循環シャワーノズル１４０ａおよび循環シャワーノズル１４０ｂと接続される。
循環ポンプ２１０は、排水弁２０４を閉塞した状態において、ポンプ用モータ２１１を逆転させることにより、吸込口２１０ａから水（循環水）を吸い込み、吐出口２１０ｄから循環水を吐出する。
【００３２】
なお、循環ポンプ２１０は、循環ポンプモータ２１１の回転の向きにより吐出口を切替える循環ポンプとして説明するが、一定方向にのみ回転するポンプ用モータと吐出口を切替える切替弁を備える循環ポンプであってもよい。
【００３３】
≪ドラム式洗濯機の制御装置≫
図７は、ドラム式洗濯機の制御装置のブロック図である。
マイクロコンピュータ（以下マイコンと称す）６０は、各スイッチ４ｂ，４ｃに接続される操作ボタン入力回路６１や水位センサ６２、温度センサ６３と接続され、使用者のボタン操作や各種情報信号を受ける。
マイコン６０からの出力は、駆動回路６４に接続され、給水弁２０１，２０２，２０３、排水弁２０４、循環ポンプモータ２１１、ドラムモータ９、ファンモータ２２、ファンヒータ２３などに接続され、これらの開閉や回転，通電を制御する。
また、使用者にドラム式洗濯機１の動作状態を知らせるための表示器６５や発光ダイオード６６、ブザー６７に接続される。
【００３４】
≪ドラム式洗濯機の運転工程≫
本実施形態に係るドラム式洗濯機１の運転工程について説明する。
図８は、本実施形態に係るドラム式洗濯機の運転工程を示す図である。
本実施形態に係るドラム式洗濯機１は運転工程として、給水工程３０１、洗い工程３０２、排水工程３０３、中間脱水工程３０４、シャワーすすぎ工程３０５、シャワー脱水工程３０６、シャワーすすぎ工程３０７、中間脱水工程３０８、給水工程３０９、溜めすすぎ工程３１０、排水工程３１１、最終脱水工程３１２、乾燥工程３１３を備える。
以下、それぞれについて説明する。
【００３５】
＜給水工程３０１＞
マイコン６０は、排水弁２０４を閉じた後、給水弁２０１を開放する。これにより、洗剤ケース５に投入された洗剤は、給水弁２０１からの水と共に、外槽１０の下部に溜まる。
また、マイコン６０は、循環ポンプ２１０の循環ポンプモータ２１１を逆転駆動させることにより、外槽１０の窪み部１０ｂの後側最下部に設けられた排水口１０ｃから水を吸い込み、窪み部１０ｂの前側に設けられた流入口１０ｄから吐出する。この循環により、洗剤が水に溶解する。
マイコン６０は、水位センサ６２で検知した所定の給水量まで給水した後、給水弁２０１を閉じる。
【００３６】
＜洗い工程３０２＞
マイコン６０は、ドラムモータ９を回転駆動させることによりドラム８を回転させる。これにより、衣類がリフタ８ｂによりかきあげられ落下し、叩き洗いにより洗濯される。
また、マイコン６０は、循環ポンプ２１０の循環ポンプモータ２１１を正転駆動させる。これにより、外槽１０の窪み部１０ｂの後側最下部に設けられた排水口１０ｃから吸い込まれた循環水が、外槽１０の左右に備えられた循環シャワーノズル１４０ａ，１４０ｂの双方から、ドラム８内を落下する衣類に噴射される。
【００３７】
ここで、循環シャワーについて図９から図１１を用いて説明する。
図９は、比較例に係るドラム式洗濯機について、上方から見たドラム内における循環水のかかる範囲を示した図である。図１０は、本実施形態に係るドラム式洗濯機について、上方から見たドラム内における循環水のかかる範囲を示した図である。
図９の比較例に係るドラム式洗濯機は、循環シャワーノズルを外槽カバーの上部中央に備え、ドラムの入口側上部中央からドラムの下部背面側に向けて循環水を噴射する。この結果、図９に示すように、水が噴射される範囲が狭い（ハッチング部分）。
これに対し、図６に示すように、本実施形態に係るドラム式洗濯機１は、循環シャワーノズル１４０ａ，１４０ｂを外槽カバー１００の左右に備える。この結果、図１０に示すように、広い範囲に水を噴射できる（ハッチング部分）。加えて、循環ポンプモータ２１１の回転数を変化させることにより、左右からの循環シャワーは強弱噴射を行うことができる。
このように、本実施形態に係るドラム式洗濯機１は、比較例に係るドラム式洗濯機と比較して、左右から循環水を噴射し、循環ポンプモータ２１１の回転数を変化させることにより、より広範囲に循環水を噴射することができる。
【００３８】
図１１は、ドラム内における循環水と衣類との関係についてドラム式洗濯機の正面側から背面側に見た模式図である。
図１１に示すように、洗い工程３０２において、衣類３００の中に外側集中側３０１と内側集中側３０２が発生する。本実施形態に係るドラム式洗濯機１は、循環シャワーノズル１４０ａ，１４０ｂにより、外側集中側３０１と内側集中側３０２に同時に循環水を噴射することができる。
これにより、本実施形態に係るドラム式洗濯機１は、より早く洗剤液を衣類に循環させることが可能となり、洗濯時間の短縮および洗浄力の向上を図ることができる。
【００３９】
＜排水工程３０３＞
洗濯工程３０２が終了すると、マイコン６０は、ドラムモータ９と循環ポンプモータ２１１を停止させ、排水弁２０４を開放する。
【００４０】
＜中間脱水３０４＞
排水が完了すると、マイコン６０はドラムモータ９によりドラム８を高速回転させる。これにより、衣類にしみこんだ汚れを含む水をドラム８の貫通孔を介して外槽１０に排出する遠心脱水を行う。
なお、外槽１０へと流れた汚れを含む水は、排水口１０ｃから機外へ排出される。
【００４１】
＜シャワーすすぎ工程３０５＞
マイコン６０は、ドラム８の回転速度を低速回転（例えば１００ｒｐｍ以下）で維持しながら、電磁弁２０２を開放し、外槽カバー１００の上部に設けられた清水シャワーノズル１５０から清水を衣類へ噴射する。
なお、清水シャワーノズル１５０から噴射される清水は、循環ポンプ２１０を駆動せず、水道圧によって、衣類に噴射される。
【００４２】
図１２は、ドラム内における清水シャワーについてドラム式洗濯機の正面側から背面側に見た模式図である。
図１３は、ドラム内における清水シャワーについてドラム式洗濯機の側面方向から見た断面模式図である。
図１２に示すように、清水シャワーノズル１５０から噴射される清水は、ドラム８の回転方向に対して狭く噴射するが、ドラム８を回転させることにより、ドラム８内の衣類に満遍なく清水を吹きつけることができる。
図１３に示すように、清水シャワーノズル１５０から噴射される清水は、ドラム８の回転軸方向に広く噴射することにより、満遍なくドラム８内の衣類に清水を吹きつけることができ、また、吹きつける清水の一部は、ドア２にも吹きつけるため、ドア２に付着した洗剤泡、糸くず等同時に洗い流すことができる。
【００４３】
衣類に噴射された清水は、遠心力により衣類を通過する。その際、清水は衣類にしみこんだ水と一緒にドラム８の貫通孔から外槽１０へ排出され、さらに外槽１０の下端に設けられた排水口１０ｃから機外に排出される。
【００４４】
＜シャワー脱水工程３０６＞
シャワーすすぎ工程３０５が完了すると、マイコン６０は、給水弁２０２を閉じ、ドラムモータ９によりドラム８を高速回転させる。これにより、衣類にしみこんだ汚れを含む水をドラム８の貫通孔を介して外槽１０に排出する遠心脱水を行う。
なお、外槽１０へと流れた汚れを含む水は、排水口１０ｃから機外へ排出される。
【００４５】
＜シャワーすすぎ工程３０７・中間脱水３０８＞
マイコン６０はシャワーすすぎ工程３０７を実行する。マイコン６０の制御はシャワーすすぎ工程３０５と同様であり説明を省略する。
その後、マイコン６０は中間脱水工程３０８を実行する。マイコン６０の制御は中間脱水工程３０４と同様であり説明を省略する。
【００４６】
＜給水工程３０９＞
マイコン６０は排水弁２０４を閉じた後、給水弁２０１を開けることにより、外槽１０にすすぎ水を溜める。マイコン６０は、水位センサ６２で検知した所定の給水量まで給水した後、給水弁２０１を閉じる。
【００４７】
＜溜めすすぎ工程３１０＞
その後、マイコン６０は、ドラムモータ９を回転駆動させ、溜めすすぎ工程３１０を実行する。
【００４８】
＜排水工程３１１＞
溜めすすぎ工程３１０が終了すると、マイコン６０は、ドラムモータ９を停止させ、排水弁２０４を開放する。
【００４９】
＜最終脱水工程３１２＞
排水が完了すると、マイコン６０はドラムモータ９によりドラム８を中間脱水よりもさらに高速回転させることにより、衣類の高速遠心脱水を行う。
【００５０】
＜乾燥工程３１３＞
マイコン６０は、電磁弁２０３を開き、ドラムモータ９、ファンモータ２２、ファンヒータ２３を制御することにより、ドラム８内の衣類を乾燥させる。
【００５１】
≪まとめ≫
このように、本実施形態に係るドラム式洗濯機１は、洗い工程３０２において、循環ポンプモータ２１１の回転数を変化させながら循環シャワーノズル１４０ａ，１４０ｂから循環水を噴射することにより、ドラム８内の広範囲に循環水を噴射することができ、より早く洗剤液を衣類に循環させることが可能となる。これにより、本実施形態に係るドラム式洗濯機１は、洗い時間の短縮および洗浄力の向上を図ることができる。
【００５２】
また、本実施形態に係るドラム式洗濯機１は、シャワーすすぎ工程３０５，３０７を行うことにより、大量の水を必要とする溜めすすぎの回数を減らすことができる。これにより、本実施形態に係るドラム式洗濯機１は、節水効果が期待できる。
【００５３】
また、シャワーすすぎ工程３０５，３０７は、溜めすすぎ工程３１０と比較して、溜めすすぎ開始時における給水工程３０９の時間を必要としない。更に、シャワーすすぎ工程３０５、３０７は、排水弁２０４を開放した状態で実行し、遠心脱水された水は外槽１０から逐次排出されるため、溜めすすぎ終了後における排水工程３１１の時間を必要としない。加えて、シャワーすすぎ工程３０５、３０７は、ドラム８を低速回転させている状態であり、そのままドラム８の回転速度を増加させることにより、シャワーすすぎ工程３０７、中間脱水工程３０８に移行することができる。これにより、本実施形態に係るドラム式洗濯機１は、すすぎ時間の短縮が可能となる。
【００５４】
以上、本実施形態に係るドラム式洗濯機として、衣類の乾燥機能を備えるドラム式洗濯機として説明したが、本発明は、乾燥機能を備えないドラム式洗濯機にも用いることが可能であることはいうまでもない。また、給水ホース接続口１６から給水される水道水を用いるドラム式洗濯機として説明したが、風呂水吸水ポンプで吸水した風呂の残り湯を用いてもよい。
【符号の説明】
【００５５】
１        ドラム式洗濯機
８        ドラム
９        ドラムモータ
１０      外槽
１００    給水口
１０ｂ    窪み部
１０ｃ    排水口
１０ｄ    流入口
２４      送風ユニット
２５      吹出し口
２５ａ    取り付け部
１００    外槽カバー
１０１    正面側開口部
１０２    背面側開口部
１０３    オーバーフロー排水口
１４０ａ  循環シャワーノズル
１４０ｂ  循環シャワーノズル
１４１    二股継手
１４２ａ  注水継手
１４３ａ  注水カバー
１５０    清水シャワーノズル
１５１    シャワーパイプ
１５２    シャワーカバー
２０１    給水弁
２０２    給水弁
２０３    給水弁
２０４    排水弁
２１０    循環ポンプ
２１０ａ  吸込口
２１０ｂ  自然排水口
２１０ｃ  吐出口
２１０ｄ  吐出口
２１１    循環ポンプモータ
２３０    水冷除湿機構
【図１】
2011056193.tif 000003
【図２】
2011056193.tif 000004
【図３】
2011056193.tif 000005
【図４】
2011056193.tif 000006
【図５】
2011056193.tif 000007
【図６】
2011056193.tif 000008
【図７】
2011056193.tif 000009
【図８】
2011056193.tif 000010
【図９】
2011056193.tif 000011
【図１０】
2011056193.tif 000012
【図１１】
2011056193.tif 000013
【図１２】
2011056193.tif 000014
【図１３】
2011056193.tif 000015